(57)【特許請求の範囲】
【請求項１】
遊技機に対応して設けられる各台装置であって、
遊技客による操作を受け付ける操作手段と、
所定の表示を行う表示手段と、
所定の条件に基づいて各台装置の動作態様について、少なくとも第１の動作態様と第２の動作態様のいずれかを設定する機能を有する動作態様設定手段と
を備え、
前記第１の動作態様においては、遊技に使用する遊技媒体データにより供給する第１の遊技機に対応する動作を行い、前記操作手段においては、前記第１の遊技機に対応する操作を受け付けるとともに、前記表示手段においては、前記第１の遊技機に対応する表示を行い、
前記第２の動作態様においては、遊技に使用する遊技媒体を実体の遊技媒体により供給する第２の遊技機に対応する動作を行い、前記操作手段においては、前記第２の遊技機に対応する操作を受け付けるとともに、前記表示手段においては、前記第２の遊技機に対応する表示を行う
ことを特徴とする各台装置。
【請求項２】
前記動作態様設定手段は、各台装置の上位に接続される上位装置からの指示に基づいて、動作態様を切り替える
ことを特徴とする請求項１に記載の各台装置。
【請求項３】
前記第１の遊技機に対応して設置される場合に、前記第１の遊技機との間で所定の認証処理を行う認証手段が設けられ、
前記動作態様設定手段は、前記第１の動作態様においては、前記認証手段による認証を行うよう動作する
ことを特徴とする請求項１又は２に記載の各台装置。
【発明の詳細な説明】
【技術分野】
【０００１】
この発明は、遊技関連情報に関する表示を行うとともに、遊技客による操作を受け付ける表示操作部を有する各台装置に関し、特に、遊技店内に一部導入された封入式遊技機の設置場所を変更する場合に、店員の労力を軽減するとともに、遊技店内に封入式遊技機を導入する場合の台間装置に係るコストを低減しつつ円滑に対応する各台装置に関する。
【背景技術】
【０００２】
従来、パチンコ店等の遊技店には、一般的に遊技機の機外にパチンコ玉等の遊技媒体を投出する開放式遊技機が配設されており、かかる開放式遊技機は、賞球が発生したならば遊技機に賞球分のパチンコ玉を機外に投出する。各台計数機付きの各台装置を併設した遊技機も開放式遊技機の一種であり、遊技機から投出されたパチンコ玉の受皿に貯留した後、該受皿内のパチンコ玉を各台計数機で計数して、持玉として再プレイ可能にすることになる。
【０００３】
このように、従来は、遊技店内に開放式遊技機を配設してきたわけであるが、最近になって、他店からの持込玉や異なる貸出レート（以下、単に「レート」と言う）間の持込玉の問題が顕在化してきたため、かかる持込玉が発生しない封入式遊技機が注目されている。この封入式遊技機とは、遊技機の機外にパチンコ玉等の遊技媒体を投出しない遊技機であり、例えば特許文献１には、遊技客がパチンコ玉に触れない構造とし、パチンコ玉が入賞すると該入賞分のパチンコ玉数を持玉数に加算し、入賞しないアウト玉分のパチンコ玉数を持玉数から減算する封入式遊技機が開示されている。
【０００４】
そして、遊技店が封入式遊技機を導入する場合には、すでに遊技店内に存在する既存の開放式遊技機及び該開放式遊技機に併設された開放式遊技機対応の各台装置を取り外し、新たに封入式遊技機及び封入式遊技機対応の各台装置を設置することになる。
【先行技術文献】
【特許文献】
【０００５】
【特許文献１】特開２００２−２３３６３５号公報
【発明の概要】
【発明が解決しようとする課題】
【０００６】
しかしながら、遊技店は、一度に遊技店に配設した全ての遊技機を開放式遊技機から上記従来技術のようなデータにより玉数を管理する封入式遊技機に切り替えるわけではなく、遊技店内の一部の遊技機のみを封入式遊技機に切り替えるのが通常である。このような場合には、従来技術においては、封入式遊技機のみではなく、各台装置についても全く新しい封入式遊技機対応のものに変更しなければならない。
【０００７】
これらのことから、遊技店内に封入式遊技機を新たに導入する場合に、台間装置に係るコストを低減しつつ円滑に対応できることが課題となる。
【０００８】
本発明は、上記従来技術の問題点（課題）を解決するためになされたものであって、遊技店内に封入式遊技機を新たに導入する場合に、台間装置に係るコストを低減しつつ円滑に対応できることが可能な各台装置を提供することを目的とする。
【課題を解決するための手段】
【０００９】
上述した課題を解決し、目的を達成するため、本発明は、遊技機に対応して設けられる各台装置であって、遊技客による操作を受け付ける操作手段と、所定の表示を行う表示手段と、所定の条件に基づいて各台装置の動作態様について、少なくとも第１の動作態様と第２の動作態様のいずれかを設定する機能を有する動作態様設定手段とを備え、前記第１の動作態様においては、遊技に使用する遊技媒体データにより供給する第１の遊技機に対応する動作を行い、前記操作手段においては、前記第１の遊技機に対応する操作を受け付けるとともに、前記表示手段においては、前記第１の遊技機に対応する表示を行い、前記第２の動作態様においては、遊技に使用する遊技媒体を実体の遊技媒体により供給する第２の遊技機に対応する動作を行い、前記操作手段においては、前記第２の遊技機に対応する操作を受け付けるとともに、前記表示手段においては、前記第２の遊技機に対応する表示を行うことを特徴とする。
【００１０】
また、本発明は、上記発明において、前記動作態様設定手段は、各台装置の上位に接続される上位装置からの指示に基づいて、動作態様を切り替えることを特徴とする。
【００１１】
また、本発明は、上記発明において、前記第１の遊技機に対応して設置される場合に、前記第１の遊技機との間で所定の認証処理を行う認証手段が設けられ、前記動作態様設定手段は、前記第１の動作態様においては、前記認証手段による認証を行うよう動作することを特徴とする。
【発明の効果】
【００１２】
遊技機に対応して設けられる各台装置であって、遊技客による操作を受け付ける操作手段と、所定の表示を行う表示手段と、所定の条件に基づいて各台装置の動作態様について、少なくとも第１の動作態様と第２の動作態様のいずれかを設定する機能を有する動作態様設定手段とを備え、前記第１の動作態様においては、遊技に使用する遊技媒体データにより供給する第１の遊技機に対応する動作を行い、前記操作手段においては、前記第１の遊技機に対応する操作を受け付けるとともに、前記表示手段においては、前記第１の遊技機に対応する表示を行い、前記第２の動作態様においては、遊技に使用する遊技媒体を実体の遊技媒体により供給する第２の遊技機に対応する動作を行い、前記操作手段においては、前記第２の遊技機に対応する操作を受け付けるとともに、前記表示手段においては、前記第２の遊技機に対応する表示を行うよう構成したので、遊技店内に第１の遊技機（例えば封入式遊技機）を新たに導入する場合に、台間装置に係るコストを低減しつつ円滑に対応できることが可能となる。
【図面の簡単な説明】
【００１３】
【図１】図１は、実施例１に係る遊技システムのシステム構成を示す図である。
【図２】図２は、図１に示した台間カード処理機の外観構成を示す図である。
【図３】図３は、開放式遊技機と接続した場合の台間カード処理機の内部構成を示すブロック図である。
【図４】図４は、封入式遊技機と接続した場合の台間カード処理機の内部構成を示すブロック図である。
【図５】図５は、台間カード処理機を開放式遊技機に接続する場合と封入式遊技機に接続する場合とを比較して説明するための説明図である。
【図６】図６は、開放式用動作モードと封入式用動作モードの動作について説明するための説明図である。
【図７】図７は、接続判定部の処理手順を示すフローチャートである。
【図８】図８は、動作切替部１０ｃ５の処理手順を示すフローチャートである。
【発明を実施するための形態】
【００１４】
以下に、添付図面を参照して、本発明に係る各台装置の好適な実施例を詳細に説明する。
【実施例】
【００１５】
まず、本実施例１に係る遊技システムのシステム構成について説明する。図１は、本実施例１に係る遊技システムのシステム構成を示す図である。同図に示すように、この遊技システムは、複数の封入式遊技機２０と、各封入式遊技機２０にそれぞれ対応して設けられた台間カード処理機１０と、複数の開放式遊技機１２０と、各開放式遊技機１２０にそれぞれ対応して設けられた台間カード処理機１０と、カード管理装置４０と、会員管理装置５０と、精算機６０と、景品管理装置７０と、ホールコンピュータ８０とが通信回線９０を介して接続されている。
【００１６】
台間カード処理機１０は、パチンコ玉の貸し出しを行う装置であり、封入式遊技機２０と接続された場合に使用する封入式用動作モードと、開放式遊技機１２０に接続された場合に使用する開放式用動作モードとを切り替え可能である。このため、台間カード処理機１０は、開放式遊技機１２０と封入式遊技機２０とで共用することができる。
【００１７】
台間カード処理機１０は、封入式用動作モードで動作中には、封入式遊技機２０に対する玉貸し処理、カード排出処理などを行う。また、台間カード処理機１０は、開放式用動作モードで動作中には、開放式遊技機１２０に対する玉貸し処理、開放式遊技機１２０で獲得したパチンコ玉の計数処理、計数したパチンコ玉を持玉として再投出する処理、貯玉の再プレイ処理、カード排出処理などを行う。台間カード処理機１０の動作の詳細については後述する。
【００１８】
封入式遊技機２０は、装置内部に封入されたパチンコ玉を遊技領域に打ち込んで遊技客がパチンコ遊技を行うパチンコ機等の装置である。この封入式遊技機２０は、台間カード処理機１０が玉貸し処理を行った場合に持玉数を加算し、持玉が存在する範囲で、遊技領域にパチンコ玉を打ち込むことができる。また、打ち込んだパチンコ玉が入賞したならば、入賞に基づく賞玉数を持玉数に加算する。封入式遊技機２０は、打ち込んだパチンコ玉の数を示す打込信号と入賞したパチンコ玉の数を示す賞出信号とをホールコンピュータ８０に送信する。遊技終了時には、封入式遊技機２０は、持玉数を台間カード処理機１０に送信して処理を終了する。
【００１９】
開放式遊技機１２０は、パチンコ玉を遊技領域に打ち込んで遊技客がパチンコ遊技を行うパチンコ機等の装置である。開放式遊技機１２０については、上記封入式遊技機２０と異なり、パチンコ玉は装置内部に封入されておらず、上皿に存在するパチンコ玉を遊技領域に打ち込むことになる。具体的には、この開放式遊技機１２０は、台間カード処理機１０から払い出されたパチンコ玉を遊技領域に発射し、パチンコ玉が入賞した場合にはパチンコ玉を投出する。開放式遊技機１２０は、打ち込んだパチンコ玉の数を示す打込信号と入賞したパチンコ玉の数を示す賞出信号とをホールコンピュータ８０に送信する。
【００２０】
島コントローラ３０は、遊技島に設けられた一群の封入式遊技機２０及び台間カード処理機１０を束ねる中継装置である。同様に、島コントローラ１３０は、遊技島に設けられた一群の開放式遊技機１２０及び台間カード処理機１０を束ねる中継装置である。カード管理装置４０は、カードのプリペイド価値及び持玉数等をカードデータとして管理する管理装置である。
【００２１】
カード管理装置４０は、台間カード処理機１０からカードＩＤ及び持玉数を受信したならばカードデータを更新し、台間カード処理機１０からカードＩＤを受信したならば、該カードＩＤに対応する持玉数を台間カード処理機１０に通知する。また、カード管理装置４０は、景品管理装置７０からカードＩＤを受信したならば、このカードＩＤに対応する持玉数を景品管理装置７０に対して通知する。さらに、精算機６０からカードＩＤを受信したならば、このカードＩＤに対応するプリペイド価値を精算機６０に対して通知する。
【００２２】
会員管理装置５０は、遊技店に会員登録された会員の会員データを管理する管理装置である。具体的には、会員に対して発行した会員カードＩＤに対応づけて、貯玉、ポイント、暗証番号及び氏名等を管理する。
【００２３】
精算機６０は、プリペイド価値が対応付けられたカードが挿入されると、このカードのカードＩＤをカード管理装置４０に送信し、該カードに対応するプリペイド価値を取得し、取得したプリペイド価値に相当する現金の払出を行う。
【００２４】
景品管理装置７０は、遊技店内の景品交換カウンタに併設された景品交換用の端末装置であり貯玉及び持玉の景品交換処理を行う。この景品管理装置７０には、カードのカードＩＤを読み取るリーダライタ及び特殊景品を払い出す装特殊景品払出装置が接続されている。景品管理装置７０は、リーダライタが一般カード又は会員カードを受け付けた場合には、リーダライタで読み出したカードのカードＩＤをカード管理装置４０に送信して、該カードの持玉数を要求する。また、貯玉を景品交換する場合は、会員管理装置５０に対して貯玉数を要求する。
【００２５】
ホールコンピュータ８０は、封入式遊技機２０及び開放式遊技機１２０から受信した打込信号及び賞出信号と、台間カード処理機１０から受信した貸玉信号及び計数信号とを用いて、遊技店における遊技機の利用情報を収集・管理する装置である。
【００２６】
次に、図１に示した台間カード処理機の外観構成について説明する。図２は、図１に示した台間カード処理機の外観構成を示す図である。図２（ａ）は、開放式遊技機１２０と接続した場合の台間カード処理機１０の構成を示し、図２（ｂ）は、封入式遊技機２０と接続した場合の台間カード処理機１０の構成を示す。なお、開放式遊技機１２０及び封入式遊技機２０は破線で図示する。なお、ここでは、紙幣のみを受け付ける台間カード処理機１０を図示したが、硬貨受け付け用のユニットを設けることもできる。
【００２７】
図２（ａ）に示すように、開放式遊技機１２０と接続した場合の台間カード処理機１０は、台間カード処理機１０の装置の状態を所定色のランプの点灯あるいは点滅で表示する状態表示部１１と、パチンコ玉を貸し出す際の各種紙幣を受け付ける紙幣挿入口１２とを有する。また、台間カード処理機１０は、ディスプレイなどの表示部並びにテンキーや各種ボタンを含む操作部からなる表示操作部１３と、カードＩＤ、プリペイド価値、貯玉データ及び持玉数データが記憶されたカードを受け付けるカード挿入口１４と、遊技機１２０の上皿１２１にパチンコ玉を供給するノズル１９ａとが設けられている。加えて、開放式遊技機１２０と接続した場合の台間カード処理機１０は、表示操作部１３に持玉を払い出す払出ボタン１３ａを表示する。ノズル１９ａは、持玉の払出が指示された場合にパチンコ玉を払出す機能を備えている。
【００２８】
ノズル１９ａ及び表示操作部１３は、パネル１３ｂに固定されており、パネル１３ｂの取り外しによって台間カード処理機１０から取外し可能である。また、パネル１３ｂの内側にはノズル１０ｂへの補給機構等が設けられており、これらの機構もパネル１３ｂとともに取り外し可能である。
【００２９】
また、開放式遊技機１２０と接続した場合の台間カード処理機１０は、遊技客が獲得したパチンコ玉数を持玉数として計数する計数部１９ｅと、遊技機１２０の下皿１２２から落下させたパチンコ玉を計数するために一時的に貯留する持玉貯留部１９ｃとを有する。持玉貯留部１９ｃに貯留されたパチンコ玉は計数部１９ｅへと導かれる。この持玉貯留部１９ｃには、持玉数を表示する持玉数表示部１６と、持玉を貯玉に移すボタン１９ｄとが設けられている。この持玉数表示部１６は、７セグメント（７ＳＥＧ）のＬＣＤ等で構成され、後述する台間カード処理機１０の制御部１０ｃにより表示制御される。
【００３０】
なお、遊技機１２０には、パチンコ玉を遊技領域に打ち込む際に使用するハンドル２１と、パチンコ玉を貯留する上皿１２１と、該上皿１２１の貯留量を超えたパチンコ玉を貯留する下皿１２２とが設けられている。この上皿１２１には、カードを返却するカード返却ボタン１８と、プリペイド価値の残数を表示するプリペイド価値から持玉への移行を指示するための玉貸しボタン１７とが設けられている。
【００３１】
図２（ｂ）に示すように、封入式遊技機２０と接続した場合の台間カード処理機１０は、台間カード処理機１０の装置の状態を所定色のランプの点灯あるいは点滅で表示する状態表示部１１と、パチンコ玉を貸し出す際の各種紙幣を受け付ける紙幣挿入口１２とを有する。また、封入式遊技機２０と接続した場合の台間カード処理機１０は、ディスプレイなどの表示部並びにテンキーや各種ボタンを含む操作部からなる表示操作部１３と、カードＩＤ、プリペイド価値、貯玉データ及び持玉数データが記憶されたカードを受け付けるカード挿入口１４とが設けられている。
【００３２】
表示操作部１３は、パネル１３ｃに設けられる。このパネル１３ｃは、上述したパネル１３ｂと交換して取り付けられる。パネル１３ｃはノズル１９ａを有さないため、パネル１３ｃに設ける表示操作部１３は、パネル１３ｂに設ける表示操作部１３に比して大型のディスプレイを用いることができる。このように表示操作部１３を大型化することで、操作利便性を向上することができる。また、パネル１３ｃの内側には、封入式遊技機２０と接続するためのコネクタ、封入式遊技機２０との双方向認証のためのセキュリティＲＯＭ並びに封入式遊技機の機種ＩＤを記憶するメモリ等を設けることができる。セキュリティＲＯＭは、封入式遊技機２０と、封入式遊技機と接続する場合の台間玉貸機１０の双方に設けられ、相互に共通の暗号化データを送受信可能になっている。通信に際しては、セキュリティＲＯＭ自身あるいは設置元の機種を表すＩＤとともに、正当性を示すコードを暗号化にて相互に送信し、復号した結果認証ＯＫを相互に受信すれば通信を行うように構成する。
【００３３】
また、封入式遊技機２０には、封入されたパチンコ玉を遊技領域に打ち込む際に使用するハンドル２１と、プリペイド価値の残数を表示するプリペイド価値表示部１５と、持玉数を表示する持玉数表示部１６と、プリペイド価値から持玉への移行を指示するための玉貸しボタン１７と、カード返却を指示するためのカード返却ボタン１８とが設けられている。その詳細な説明は後述するが、プリペイド価値表示部１５及びカード返却ボタン１８は、封入式遊技機２０の前面に設けられており、台間カード処理機１０の制御部に直結されている。
【００３４】
このように、台間カード処理機１０は、開放式遊技機１２０と接続した場合には、ノズル１９ａ、計数部１９ｅ、持玉貯留部１９ｃ及び貯玉ボタン１９ｄを有するが、封入式遊技機２０と接続した場合には、ノズル１９ａ、計数部１９ｅ、持玉貯留部１９ｃ及び貯玉ボタン１９ｄを取り外した構成となる。また、台間カード処理機１０は、開放式遊技機１２０と接続した場合には表示操作部１３に払出ボタン１３ａを表示し、封入式遊技機２０と接続した場合には表示操作部１３への払出ボタン１３ａの表示は行わない。
【００３５】
次に、図１に示した台間カード処理機の内部構成について説明する。図３は、開放式遊技機１２０と接続した場合の台間カード処理機１０の内部構成を示すブロック図である。図３に示すように、台間カード処理機１０は、表示操作部１３と、リードライト（Ｒ／Ｗ）部１４ａと、紙幣搬送部１２ａと、通信Ｉ／Ｆ部１０ａ１と、通信Ｉ／Ｆ部１０ａ２と、記憶部１０ｂと、制御部１０ｃと、玉投出機構１０ｄと、スイッチ１３ｄとを有する。
【００３６】
Ｒ／Ｗ部１４ａは、カード挿入口１４に挿入されたカードに記憶された持玉数データ、会員カードＩＤ及びプリペイド価値データを読み取る読取部である。なお、カード挿入口１４に挿入されたカードは、このＲ／Ｗ部１４ａを経て図示しないカード収納部に収納される。紙幣搬送部１２ａは、紙幣挿入口１２から挿入された紙幣の金種及び真偽を判別しつつ図示しない紙幣収納部に搬送する搬送部である。
【００３７】
通信Ｉ／Ｆ部１０ａ１は、封入式遊技機２０の制御部との間のデータ通信を行うためのインタフェース部であり、通信Ｉ／Ｆ部１０ａ２は、開放式遊技機１２０の制御部との間のデータ通信を行うためのインタフェース部である。通信Ｉ／Ｆ部１０ａ１は、封入式遊技機２０への送信と封入式遊技機２０からの受信を行う双方向通信インタフェースである。通信Ｉ／Ｆ部１０ａ２は、開放式遊技機１２０への送信を行う単方向通信インタフェースである。開放式用の動作モードでは、通信Ｉ／Ｆ部１０ａ１は無効化され、封入式用の動作モードでは、通信Ｉ／Ｆ部１０ａ２は無効化される。無効化は、具体的には入力不能又は入力無視を行うことで実現する。なお、遊技機との通信用のコネクタは、開放式と封入式とで兼用でもよいし、別個に設けられていても良い。兼用する場合には、封入式用がベースとなり、アダプタにより切り替えることとなる。
【００３８】
玉投出機構１０ｄは、台間カード処理機１０に対するパチンコ玉の供給を行う供給路、供給路から供給されたパチンコ玉を台間カード処理機１０の内部で貯留するホッパ、ホッパに貯留したパチンコ玉を制御部１０ｃに指示された数だけノズルユニット１９ａに送り出す送出部を有する。また、玉投出機構１０ｄは、シャッタなどによりパチンコ玉の供給経路を遮断し、パチンコ玉の供給を無効化することができる。
【００３９】
スイッチ１３ｄは、台間カード処理機１０が封入式用動作モードと開放式用動作モードとのいずれで動作するかを指定する入力を受け付ける入力手段である。スイッチ１３ｄは、店員によって操作され、封入式用動作モードと開放式用動作モードとのいずれで動作するかを動作モード設定フラグ１０ｂ３として記憶部１０ｂに設定する。スイッチ１３ｄの種類としては、トグルスイッチ、スライドスイッチ、プッシュスイッチ等の物理的なスイッチや、ホールコンピュータ８０等の上位の管理装置からの信号によって動作回路を切替える回路スイッチ等が用いることができ、特に限定されない。なお、物理的なスイッチを用いる場合には、スイッチ１３ｄは台間カード処理機１０の通常動作時には通常、外部から操作不可能な位置、例えば筐体内部の制御基板上に設けられ、台間カード処理機１０を設置枠から取外した場合や前面パネルの施錠を開放した場合にのみ操作可能となる。この事により、動作モードの切替につき、外部から不正な操作が行われることを防止する。上位の管理装置からの信号によってモードを動作回路を切替える回路スイッチを用いる場合には、上位の管理装置にモード指定用の操作手段が設けられ、この操作手段への操作に基づいてモード切替用の信号が送信され、この信号に基づいて動作モードの設定が切替えられる。これらはいずれも入力により動作モードを設定する入力手段として働くものであるが、以下では物理的スイッチを用いた例で説明する。
【００４０】
記憶部１０ｂは、ハードディスク装置や不揮発性メモリ等からなる記憶デバイスであり、プリペイド価値データ１０ｂ１、持玉数データ１０ｂ２及び動作モード設定フラグ１０ｂ３を記憶する。プリペイド価値データ１０ｂ１は、遊技客の現時点のプリペイド価値の残数であり、紙幣又はカード投入により加算され、持玉数への移行により減算される。持玉数データ１０ｂ２は、遊技客の現時点の持玉数であり、パチンコ玉の計数により加算され、払出や貯玉により減算される。
【００４１】
動作モード設定フラグ１０ｂ３は、台間カード処理機１０が封入式用動作モードと開放式用動作モードとのいずれで動作するかを示すフラグである。図３に示した例では、台間カード処理機１０は開放式遊技機１２０に接続しているので、動作モード設定フラグ１０ｂ３には、開放式用動作モードが設定されている。
【００４２】
制御部１０ｃは、台間カード処理機１０を全体制御する制御部であり、データ管理部１０ｃ１、紙幣処理部１０ｃ２、カード処理部１０ｃ３、接続判定部１０ｃ４及び制御切替部１０ｃ５を有する。また、この制御部１０ｃには、玉貸しボタン１７、プリペイド価値表示部１５及びカード返却ボタン１８が直結されている。さらに、制御部１０ｃには玉投出機構１０ｄ及び計数ユニット１９ｂが接続されている。この計数ユニット１９ｂは、払出ボタン１９ｄ、計数部１９ｅ及び持玉数表示部１６を有する。
【００４３】
データ管理部１０ｃ１は、記憶部１０ｂに記憶したプリペイド価値データ１０ｂ１及び持玉数データ１０ｂ２を用いて、プリペイド価値及び持玉を管理する管理部である。このデータ管理部１０ｃ１は、封入式用動作モードと開放式用動作モードの２つの動作モードを有し、動作モード設定フラグ１０ｂ３に設定された動作モードで動作する。図３に示した構成では、動作モード設定フラグ１０ｂ３に開放式用動作モードが設定されているので、データ管理部１０ｃ１は開放式用動作モードで動作する。
【００４４】
データ管理部１０ｃ１は、紙幣挿入口１２に紙幣が挿入されると、この紙幣分に相当するプリペイド価値をプリペイド価値データ１０ｂ１に加算する。同様に、データ管理部１０ｃ１は、カード挿入口１４にカードが挿入されると、このカードに関連付けられたプリペイド価値をプリペイド価値データ１０ｂ１に加算する。
【００４５】
データ管理部１０ｃ１は、開放式用動作モードで動作中に玉貸しボタン１７が押下操作されると、プリペイド価値データ１０ｂ１を所定数（例えば、１０度数）減算し、対応する数のパチンコ玉をノズルユニット１９ａから投出する。そして、データ管理部１０ｃ１は、パチンコ玉を所定数（例えば１０玉）投出する度に貸出信号を生成し、ホールコンピュータ８０に送信する。
【００４６】
また、データ管理部１０ｃ１は、開放式用動作モードで動作中に表示操作部１３に表示した払出ボタン１３ａを選択する操作を受付けたならば、持玉数データ１０ｂ２の持玉数を所定数減算し、対応する数のパチンコ玉をノズルユニット１９ａから投出する。
【００４７】
また、データ管理部１０ｃ１は、開放式用動作モードで動作中に計数部１９ｅから計数結果を受信したならば、計数結果を持玉数に加算して持玉数データ１０ｂ２を更新する。
【００４８】
また、データ管理部１０ｃ１は、貯玉ボタン１９ｄが押下操作されたならば、会員カードＩＤを会員管理装置５０に送信して該会員カードＩＤに対応付けられた貯玉を減算し、対応する数のパチンコ玉をノズルユニット１９ａから投出する。
【００４９】
なお、カード返却ボタン１８が押下操作され、カードを排出する場合には、データ管理部１０ｃ１は、プリペイド価値データ１０ｂ１及び持玉数データ１０ｂ２をカードに関連付けた後に、プリペイド価値データ１０ｂ１及び持玉数データ１０ｂ２を零にクリアする。
【００５０】
紙幣処理部１０ｃ２は、紙幣挿入口１２から受け付けた紙幣を搬送制御しつつ該紙幣の金種識別及び真偽識別を行った後に、該紙幣を図示しない紙幣収納部に収納する処理部である。カード処理部１０ｃ３は、カード挿入口１４からカードを受け付けたならば、Ｒ／Ｗ部１４ａによりカードＩＤ、持玉数及びプリペイド価値を読み取らせる。そして、このカードＩＤをカード管理装置４０に送信して、該カードＩＤに対応する持玉数及びプリペイド価値をカード管理装置４０から受け取り、プリペイド価値データ１０ｂ１及び持玉数データ１０ｂ２に記憶する。
【００５１】
また、カード処理部１０ｃ３は、カード返却ボタン１８の押下操作を受け付けたならば、図示しないカード収納部に収納したカードのカードＩＤとプリペイド価値データ１０ｂ１及び持玉数データ１０ｂ２をカード管理装置４０に送信してカードデータを更新させる。その後、プリペイド価値データ１０ｂ１及び持玉数データ１０ｂ２をカードに書き込んでカード挿入口１４から返却する。
【００５２】
接続判定部１０ｃ４は、台間カード処理機１０が開放式遊技機１２０と接続されているか封入式遊技機２０と接続されているかを判定する処理部である。接続部１０ｃ４は、台間カード処理機１０が開放式遊技機１２０と接続されていると判定した場合には、動作モード設定フラグ１０ｂ３に「開放式用動作モード」を設定する。そして、接続判定部１０ｃ４は、台間カード処理機１０が封入式遊技機２０と接続されていると判定した場合には、動作モード設定フラグ１０ｂ３に「封入式用動作モード」を設定する。動作モード設定部１０ｃ４による判定の詳細については後述する。
【００５３】
さらに、接続判定部１０ｃ４は、計数ユニット１９が接続されているか否かの判定を行う。台間カード処理機１０が開放式遊技機１２０と接続されている状態で、計数ユニット１９が接続されていなければ、計数部１９ｅからの計数結果の取得を無効化し、台間カード処理機１０が開放式遊技機１２０と接続されている状態で、計数ユニット１９が接続されているならば、計数部１９ｅからの計数結果の取得を有効化する。また、接続判定部１０ｃ４は、台間カード処理機１０が封入式遊技機２０と接続されている状態では、計数ユニット１９が接続されているか否かの判定は行わない。
【００５４】
制御切替部１０ｃ５は、動作モード設定フラグ１０ｂ３に「開放式用動作モード」が設定されている場合には、データ管理部１０ｃ１を開放式用動作モードで動作させ、動作モード設定フラグ１０ｂ３に「封入式用動作モード」が設定されている場合には、データ管理部１０ｃ１を封入式用動作モードで動作させる。
【００５５】
開放式用動作モードでは、データ管理部１０ｃ１は、通信Ｉ／Ｆ部１０ａ１を無効にし、通信Ｉ／Ｆ部１０ａ２を有効にし、玉投出機構１０ｄによる玉投出並びに計数部１９ｅによる玉計数を有効する。また、開放式用動作モードでは、データ管理部１０ｃ１は、表示操作部１３に対して払出ボタン１３ａを表示する制御を行うとともに該払出ボタン１３ａによる操作を表示操作部１４が受け付け可能に制御する。
【００５６】
開放式遊技機１２０の前面に設けられたプリペイド価値表示部１５は、プリペイド価値データ１０ｂ１の残度数を表示する。また、ノズルユニット１９ａは、データ管理部１０ｃ１の制御に従ってパチンコ玉の投出を行う。
【００５７】
計数ユニット１９ｂは、貯玉ボタン１９ｄ、計数部１９ｅ及び持玉数表示部１６を有する。計数部１９ｅは、開放式遊技機１２０が払い出したパチンコ玉を計数する処理部である。台間カード処理機１０は、計数部１９ｅが所定数（例えば１０玉）のパチンコ玉を計数する度に１パルスの計数信号を生成してホールコンピュータ８０に送信する。持玉数表示部１６は、持玉数データ１０ｂ２が示す持玉数を表示する。
【００５８】
図４は、封入式遊技機２０と接続した場合の台間カード処理機１０の内部構成を示すブロック図である。図４に示すように、台間カード処理機１０は、表示操作部１３と、リードライト（Ｒ／Ｗ）部１４ａと、紙幣搬送部１２ａと、通信Ｉ／Ｆ部１０ａと、記憶部１０ｂと、制御部１０ｃと、スイッチ１３ｄとを有する。Ｒ／Ｗ部１４ａ、通信Ｉ／Ｆ部１０ａ１、通信Ｉ／Ｆ部１０ａ２、玉投出機構１０ｄ及びスイッチ１３ｄについては、図３と同様であるので、説明を省略する。
【００５９】
封入式遊技機２０と接続した場合の記憶部１０ｂは、プリペイド価値データ１０ｂ１、動作モード設定フラグ１０ｂ３及び設定レートデータ１０ｂ４を記憶する。プリペイド価値データ１０ｂ１は、遊技客の現時点のプリペイド価値の残数であり、紙幣又はカード投入により加算され、持玉数への移行により減算される。
【００６０】
動作モード設定フラグ１０ｂ３は、台間カード処理機１０が封入式用動作モードと開放式用動作モードとのいずれで動作するかを示すフラグである。図４に示した例では、台間カード処理機１０は封入式遊技機１２０に接続しているので、動作モード設定フラグ１０ｂ３には、封入式用動作モードが設定されている。
【００６１】
設定レートデータ１０ｂ４は、台間カード処理機１１０の現時点での設定レートに関する情報である。具体的には、設定レートデータ１０ｂ４は、１玉１円、１玉４円など台間カード処理機１０が選択可能な複数の貸出レートのうち、いずれかの貸出レートを含む。
【００６２】
封入式遊技機２０と接続した場合の制御部１０ｃは、データ管理部１０ｃ１、紙幣処理部１０ｃ２、カード処理部１０ｃ３、接続判定部１０ｃ４及び動作切替え部１０ｃ５に加えて、レート設定処理部１０ｃ６を有する。
【００６３】
データ管理部１０ｃ１は、図４に示した構成では、動作モード設定フラグ１０ｂ３に封入式用動作モードが設定されているので、封入式用動作モードで動作する。データ管理部１０ｃ１は、紙幣挿入口１２に紙幣が挿入されると、この紙幣分に相当するプリペイド価値をプリペイド価値データ１０ｂ１に加算する。同様に、データ管理部１０ｃ１は、カード挿入口１４にカードが挿入されると、このカードに関連付けられたプリペイド価値をプリペイド価値データ１０ｂ１に加算する。
【００６４】
データ管理部１０ｃ１は、封入式用動作モードで動作中に封入式遊技機２０の玉貸しボタン１７が押下操作されると、プリペイド価値データ１０ｂ１を所定数（例えば、１０度数）減算し、対応する数の持玉数を追加するよう封入式遊技機２０に通知する。そしてデータ管理部１０ｃ１は、所定数（例えば１０玉）の持玉追加を封入式遊技機２０に通知する度に貸出信号を生成し、ホールコンピュータ８０に送信する。
【００６５】
なお、カード返却ボタン１８が押下操作され、カードを排出する場合には、データ管理部１０ｃ１は、封入式遊技機２０から持玉数データ２２ｂを取得し、プリペイド価値データ１０ｂ１及び持玉数データ２２ｂをカードに関連付けた後に、プリペイド価値データ１０ｂ１及び持玉数データ２２ｂを零にクリアする。
【００６６】
紙幣処理部１０ｃ２は、紙幣挿入口１２から受け付けた紙幣を搬送制御しつつ該紙幣の金種識別及び真偽識別を行った後に、該紙幣を図示しない紙幣収納部に収納する処理部である。カード処理部１０ｃ３は、カード挿入口１４からカードを受け付けたならば、Ｒ／Ｗ部１４ａによりカードＩＤ、持玉数及びプリペイド価値を読み取らせる。そして、このカードＩＤをカード管理装置４０に送信して、該カードＩＤに対応する持玉数及びプリペイド価値をカード管理装置４０から受け取る。カード処理部１０ｃ３は、カード管理部４０から受け取ったプリペイド価値をプリペイド価値データ１０ｂ１に記憶し、カード管理部４０から受け取った持玉数を封入式遊技機２０に通知して持玉に追加させる。
【００６７】
また、カード処理部１０ｃ３は、カード返却ボタン１８の押下操作を受け付けたならば、封入式遊技機２０から持玉数データ２２ｂを取得し、図示しないカード収納部に収納したカードのカードＩＤとプリペイド価値データ１０ｂ１及び持玉数データ２２ｂをカード管理装置４０に送信してカードデータを更新させる。その後、プリペイド価値データ１０ｂ１及び持玉数データ２２ｂをカードに書き込んでカード挿入口１４から返却する。
【００６８】
レート設定処理部１０ｃ６は、設定レートデータ１０ｂ４に対して遊技客により選択された貸出レートを設定する処理部である。台間カード処理機１０は、設定レートデータ１０ｂ４に設定された貸出レートに基づいて、玉貸しボタン１７が押下操作された場合に減算するプリペイド価値と持玉数データ２２ａに追加する持玉の数との対応関係を決定する。また、カード返却時には、封入式遊技機２０から取得した持玉数に貸出レートの情報を対応付けて返却する。
【００６９】
レート設定処理部１０ｃ５による貸出レートの設定は、封入式用動作モードである場合に有効であり、開放式用動作モードである場合には、デフォルトとして定められた貸出レートを自動的に選択する。
【００７０】
封入式遊技機２０は、通信Ｉ／Ｆ部２４、玉貸しボタン１７、持玉数表示部１６、記憶部２２及び制御部２３を有する。通信Ｉ／Ｆ部２４は、台間カード処理機１０の制御部１０ｃとの間のデータ通信を行うためのインタフェース部である。
【００７１】
玉貸しボタン１７及び持玉数表示部１６は、封入式遊技機２０の制御部２３と接続されている。玉貸しボタン１７が押下操作されると、制御部２３ａは台間カード処理機１０に対して玉貸し要求を送信する。台間カード処理機１０は、制御部２３ａから玉貸し要求を受信したならば、プリペイド価値を減算して対応する数の持玉数を追加するよう封入式遊技機２０に通知する。制御部２３ａは、台間カード処理機１０からの通知を受けて記憶部２２に記憶された持玉数データ２２ａを加算する。持玉数表示部１６は、記憶部２２に記憶された持玉数データ２２ａが示す持玉数を表示する。
【００７２】
プリペイド価値表示部１５及びカード返却ボタン１８は、封入式遊技機２０の前面に設けられているが、台間カード処理機１０の制御部１０ｃに直結している。プリペイド価値表示部１５は、台間カード処理機１０の記憶部１０ｂに記憶されたプリペイド価値データ１０ｂ１の残度数を表示する。また、カード返却ボタン１８が押下操作されると、台間カード処理機１０は上述したように持玉数データ２２ａとプリペイド価値データ１０ｂ１をカードに対応付けて返却する。
【００７３】
封入式遊技機２０の記憶部２２は、ハードディスク装置や不揮発性メモリ等からなる記憶デバイスであり、持玉数データ２２ａ及び遊技機情報２２ｂを記憶する。持玉数データ２２ａは、遊技客の現時点の持玉数であり、パチンコ玉を遊技領域に打ち出した（発射した）場合に減算され、入賞により加算される。遊技機情報２２ｂは、封入式遊技機２０に関する情報であり、封入式であることを示す情報を含む。
【００７４】
制御部２３は、封入式遊技機２０を全体制御する制御部であり、遊技制御部２３ａ、持玉管理部２３ｂ及び遊技機情報送信部２３ｃを有する。遊技制御部２３ａは、封入されたパチンコを用いた遊技を制御する。
【００７５】
持玉管理部２３ｂは、持玉数データ２２ａを管理する。具体的には、持玉管理部２３ｂは、台間カード処理機１０から持玉に追加する玉数の通知を受けたならば、通知された玉数を加算して持玉数データ２２ａを更新する。また、持玉管理部２３ｂは、遊技領域にパチンコ玉を打ち出す度に持玉数を減算し、パチンコ玉が入賞した場合に持玉数を加算して持玉数データ２２ａを更新する。遊技機情報送信部２３ｃは、記憶部２２から遊技機情報２２ｂを読み出して台間カード処理機１０に送信する処理を行う。
【００７６】
次に、台間カード処理機１０を開放式遊技機１２０に接続する場合と封入式遊技機２０に接続する場合とを比較して説明する。図５は、台間カード処理機１０を開放式遊技機１２０に接続する場合と封入式遊技機２０に接続する場合とを比較して説明するための説明図である。図５（ａ）は、台間カード処理機１０を開放式遊技機１２０に接続する場合と封入式遊技機２０に接続する場合の構成の比較であり、図５（ｂ）は、台間カード処理機１０を開放式遊技機１２０に接続する場合と封入式遊技機２０に接続する場合の動作の比較である。
【００７７】
図５（ａ）に示したように、玉貸しボタン１７及びカード返却ボタン１８は、開放式遊技機１２０に接続する場合であっても、封入式遊技機２０に接続する場合であっても、遊技機の前面に設けられる。
【００７８】
払出ボタン１３ａは、開放式遊技機１２０に接続した場合には表示操作部１３に表示されるが、封入式遊技機２０に接続した場合には表示されない。貯玉ボタン１９ｄは、計数ユニット１９ｂに設けられているので、開放式遊技機１２０に接続した場合の構成には含まれるが、封入式遊技機２０に接続した場合の構成には含まれない。
【００７９】
計数ユニット１９ｂは、開放式遊技機１２０に接続する場合には台間カード処理機１０の構成に含まれるが、封入式遊技機２０に接続する場合には計数ユニット１９ｂは取り外される。
【００８０】
同様に、ノズル１９ａは、開放式遊技機１２０に接続する場合には台間カード処理機１０の構成に含まれるが、封入式遊技機２０に接続する場合にはノズル１９ａは取り外される。ノズル１９ａが取り外された場合には、玉投出機構１０ｄの供給経路は遮断される。この遮断はノズル１９ａの取外しとの機構的・制御的連動のいずれかによって実現される。
【００８１】
動作を比較すると、図５（ｂ）に示したように、開放式遊技機１２０に接続した場合の開放式用動作モードでは、玉貸しボタン１７が押下操作されると、台間カード処理機１０はプリペイド価値を減算してパチンコ玉の投出のための信号を開放式遊技機１２０に送信し、これに応じて開放式遊技機は自機の払出機構からパチンコ玉を投出する。一方、封入式遊技機２０に接続した場合の封入式用動作モードでは、玉貸しボタン１７が押下操作されると、台間カード処理機１０はプリペイド価値を減算して持玉の追加を封入式遊技機２０に要求する。
【００８２】
また、開放式用動作モードでは、払出ボタン１３ａが押下操作されると、台間カード処理機１０は持玉数を減算して玉の投出を行うが、封入式用動作モードでは、払出ボタン１９ｄを構成上有さないために払出ボタン１９ｄの押下操作に対応する動作は設定されていない。
【００８３】
同様に、開放式用動作モードでは、貯玉ボタン１９ｄが押下操作されると、台間カード処理機１０は貯玉を減算して玉の投出を行うが、封入式用動作モードでは、貯玉ボタン１９ｄを構成上有さないために貯玉ボタン１９ｄの押下操作に対応する動作は設定されていない。
【００８４】
また、開放式用動作モードでは、計数部１９ｅがパチンコ玉を計数すると、台間カード処理機１０は計数結果を持玉数に加算するが、封入式用動作モードでは、計数結果の取得は無効化されている。そして、開放式用動作モードでは、玉投出機構１０ｄが有効であるが、封入式用動作モードでは、玉投出機構１０ｄは無効化されている。
【００８５】
カード返却ボタン１８が押下操作された場合には、台間カード処理機１０は、開放式用動作モードであっても封入式用動作モードであっても、カードにプリペイド価値及び持玉数を対応付けて返却する処理を行う。
【００８６】
図６は、開放式用動作モードと封入式用動作モードの動作について説明するための説明図である。図６（ａ）は、開放式用動作モードの動作を示し、図６（ｂ）は、封入式用動作モードの動作を示す。
【００８７】
図６（ａ）に示した開放式用動作モードでは、台間カード処理機１０は紙幣が投入されるとプリペイド価値を加算し、玉貸しボタン１７が押下操作されるとプリペイド価値を減算してパチンコ玉の投出を行う。
【００８８】
また、計数部１９ｅがパチンコ玉を計数した場合には、台間カード処理機１０は持玉数データ１０ｂ２を加算処理し、払出ボタン１３ａが押下操作された場合には、持玉数データ１０ｂ２の持玉数を減算してパチンコ玉の投出を行う。同様に、貯玉ボタン１９ｄが押下操作された場合には、台間カード処理機１０は、カード管理部４０が管理する貯玉数を減算してパチンコ玉の投出を行う。そして、カード返却ボタン１８が押下操作されると、台間カード処理機１０は、プリペイド価値及び持玉数をカードに対応付けて返却するカード返却処理を行う。
【００８９】
図６（ｂ）に示した封入式用動作モードでは、台間カード処理機１０は紙幣が投入されるとプリペイド価値を加算し、玉貸しボタン１７が押下操作されるとプリペイド価値を減算して封入式遊技機２０に対して持玉追加要求を行う。
【００９０】
封入式遊技機２０は、持玉追加要求を受けた場合に持玉数データ２２ａの持玉数を加算する。また、封入式遊技機２０は、パチンコ玉を遊技領域に打ち出す度に持玉数データ２２ａを減算して更新し、パチンコ玉が入賞したならば持玉数データ２２ａを加算して更新する。そして、カード返却ボタン１８が押下操作されると、台間カード処理機１０は、プリペイド価値及び持玉数をカードに対応付けて返却するカード返却処理を行う。
【００９１】
次に、接続判定部１０ｃ４による動作モードの設定について説明する。スイッチ１３ｄは、店員からの操作入力に基づいて、動作モード設定フラグ１０ｂ３を設定する。また、接続判定部１０ｃ４は、通信Ｉ／Ｆ部１０ａ１及び通信Ｉ／Ｆ部１０ａ２の接続状態を監視し、通信Ｉ／Ｆ部１０ａ１に対して接続が行われている場合には封入式用動作モードを選択し、通信Ｉ／Ｆ部１０ａ２に対して接続が行われている場合には開放式用動作モードを選択する。また、通信Ｉ／Ｆ部１０ａ１および通信Ｉ／Ｆ１０ａ２のいずれにも接続が行われていない場合には、現金式（貸出機との通信により払出処理を行う機能を持たない）遊技機と対応付けて設置されていると判定して、開放式遊技機用動作モードを選択し、貸出処理をノズル１９ａから行うように設定する。この接続判定部の判定は、台間カード処理機１０と対応付けて設置されている遊技機の種別を判定する設置対応判定手段として動作するものである。ここで、スイッチ１３ｄにより受け付けた設定と、接続判定部１０ｃ４による判定結果とが整合していない場合には、管理装置４０や表示操作部１３に対して異常として報知出力を行う。この報知出力は管理装置４０へ送信するのみでもよいし、表示操作部１３に出力するのみでもよい。また、通常時は管理装置へ出力することとし、管理装置との間の通信がオフラインであるときは表示操作部１３に出力することとしてもよい。さらに、正常に動作モードの選択が行われた場合には、カード管理装置４０・会員管理装置５０・ホールコンピュータ８０等の上位の管理装置に選択されたモードを通知する。このことにより、上位の管理装置は、選択されたモードに基づく売上管理・動作管理等を行うことができる。
【００９２】
また、接続判定部１０ｃ４は、遊技機との接続状態以外の要素によって開放式遊技機と接続されているか、開放式遊技機と接続されているかを判定することもできる。この判定の処理手順を図７を参照して説明する。図７は接続判定部１０ｃ４の処理手順を示すフローチャートである。同図に示すように、接続判定部１０ｃ４は、ノズル１９ａが接続されているならば（ステップＳ１０１；Ｙｅｓ）、動作モード設定フラグ１０ｂ３を開放式用動作モードに設定して（ステップＳ１０７）、処理を終了する。
【００９３】
ノズル１９ａが接続されていなければ（ステップＳ１０１；Ｎｏ）、接続判定部１０ｃ４は、計数ユニット１９ｂが接続されているか否かを判定する（ステップＳ１０２）。計数ユニット１９ｂが接続されているならば（ステップＳ１０２；Ｙｅｓ）、接続判定部１０ｃ４は、動作モード設定フラグ１０ｂ３を開放式用動作モードに設定して（ステップＳ１０７）、処理を終了する。
【００９４】
計数ユニット１９ｂが接続されていなければ（ステップＳ１０２；Ｎｏ）、接続判定部１０ｃ４は、遊技機情報２２ｂを取得し、遊技機情報２２ｂが封入式を示しているか否かを判定する（ステップＳ１０３）。遊技機情報２２ｂが封入式を示しているならば（ステップＳ１０３；Ｙｅｓ）、接続判定部１０ｃ４は、動作モード設定フラグ１０ｂ３を封入式用動作モードに設定して（ステップＳ１０６）、処理を終了する。
【００９５】
遊技機情報２２ｂが封入式であることを示していなければ（ステップＳ１０３；Ｎｏ）、接続判定部１０ｃ４は、表示操作部１３による動作モード指定操作を待つ（ステップＳ１０４）。そして、表示操作部１３による動作モード指定操作が封入式を指定した場合には（ステップＳ１０５；Ｙｅｓ）、接続判定部１０ｃ４は動作モード設定フラグ１０ｂ３を封入式用動作モードに設定して（ステップＳ１０６）、処理を終了する。一方、表示操作部１３による動作モード指定操作が封入式を指定しない場合（すなわち、開放式を指定した場合）には（ステップＳ１０５；Ｎｏ）、接続判定部１０ｃ４は動作モード設定フラグ１０ｂ３を開放式用動作モードに設定して（ステップＳ１０７）、処理を終了する。この接続判定部の処理は、台間カード処理機１０内の機構の取付状態を判定する状態判定手段として動作するものである。遊技機との接続状態以外の要素によって判定した動作モードが接続状態に基づいて判定した動作モードやスイッチ１３ｄにより指定された動作モードと整合していない場合にも管理装置４０や表示操作部１３に対して異常として報知出力を行う。この報知出力は管理装置４０へ送信するのみでもよいし、表示操作部１３に出力するのみでもよい。また、通常時は管理装置へ出力することとし、管理装置との間の通信がオフラインであるときは表示操作部１３に出力することとしてもよい。さらに、正常に動作モードの選択が行われた場合には、カード管理装置４０・会員管理装置５０・ホールコンピュータ８０等の上位の管理装置に選択されたモードを通知する。このことにより、上位の管理装置は、選択されたモードに基づく売上管理・動作管理等を行うことができる。また、接続判定部は、前述した、対応付けて設置されている遊技機の種別を判定する設置対応判定手段、および台間カード処理機１０内の機構の取付状態を判定する状態判定手段の双方の機能を備えていてもよい。この場合は、スイッチ１３ｄによる設定と、設置対応判定手段および状態判定手段による判定に基づいて、整合性が無い場合は異常報知を行うことになる。
【００９６】
次に、動作切替部１０ｃ５による動作モードの選択について説明する。図８は、動作切替部１０ｃ５の処理手順を示すフローチャートである。同図に示すように、動作切替部１０ｃ５は、遊技が開始された場合に（ステップＳ２０１；Ｙｅｓ）、記憶部１０ｂから動作モード設定フラグ１０ｂ３を読み出す（ステップＳ２０２）。
【００９７】
動作モード設定フラグ１０ｂ３が封入式用動作モードに設定されていたならば（ステップＳ２０３；Ｙｅｓ）、台間カード処理機１０は、遊技終了まで封入式用動作モードで動作し（ステップＳ２０４）、動作モード設定フラグ１０ｂ３が封入式用動作モードに設定されていない（すなわち開放式動作モードに設定されている）場合には（ステップＳ２０３；Ｎｏ）、台間カード処理機１０は、遊技終了まで開放式用動作モードで動作する（ステップＳ２０５）。
【００９８】
上述してきたように、本実施例では、台間カード処理機１０が封入式遊技機２０と接続されているか、開放式遊技機１３０と接続されているかに基づいて、表示操作制御や動作制御を切り替えるよう構成したので、遊技店内に一部導入された封入式遊技機の設置場所を変更する場合に、店員の労力を軽減するとともに、遊技店内に封入式遊技機を導入する場合の台間装置に係るコストを低減しつつ円滑に対応できる。
【００９９】
また、本実施例では、封入式の遊技機の持玉数を遊技機側で管理する構成を示して説明を行ったが、本発明はこれに限定されるものではなく、台間カード処理機が封入式遊技の持玉数を管理する構成に適用することもできる。台間カード処理機が封入式遊技の持玉数を管理する構成では、封入式遊技機からの発射検出信号を受信し、持玉の減算制御を行う処理部などは、パネル１３ｃに固定し、取り外し可能としても良い。
【０１００】
また、本実施例では、スイッチ１３ｄにより受け付けた動作モードを自動検知により判定した動作モードと比較して整合性を確認する構成について説明を行ったが、本発明はこれに限定されるものではなく、スイッチ１３ｄを省略して自動検知のみで動作モードを切替えるように構成してもよい。
【０１０１】
また、本実施例では、開放式遊技機として、台間カード処理機１０から信号を受けて払出処理を行うものを示したが、これに代えて、本発明の台間カード処理機を信号受信による払出処理機能を持たない開放式遊技機に対応付けて設置することも可能である。この場合は、ノズル１９ａを通して貸出処理分の遊技媒体が払い出される。また、この場合は、台間カード処理機は、カード処理機構を持たず、貨幣を受け付けて貨幣分の遊技媒体を払いだす形式のものであっても良い。
【０１０２】
また、接続判定部１０ｃ４による接続先の判定並びに制御切替部１０ｃ５によるモードの切り替えは、台間カード処理機１０の電源投入時、遊技店の閉店処理時若しくは遊技機の設置時等、任意のタイミングで適宜実施することができる。この場合、電源投入時（開店時）、閉店処理時、遊技機の設置時（接続先として新たな遊技機からの信号を受信した場合）のみモードの設定を行い、通常稼動時はモードの判定を行わない。この事により、通常動作時に制御負担が増加したり、異常状態が頻繁に発生して稼動率が低下する、遊技中に不正な信号等によりモードを切替えられる不正行為が行われる、等の不都合を防止できる。
【０１０３】
また、本実施例では、遊技機として遊技球を用いるパチンコ遊技機を例にとり、これに対応して設けられるパチンコ玉用の貸出機および各台対応装置について説明したが、本発明はこれに限らず、遊技球を用いる回胴式遊技機に対応して設けられる貸出機および各台対応装置、および遊技メダルを用いる回胴式遊技機に対応して設けられるメダル用の貸出機および各台対応装置であっても適用することができる。
【０１０４】
なお、上記実施例では、カードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末などを用いる場合に本発明を適用することもできる。特に、ＩＣチップ付携帯端末を媒体として用いる場合は、台間カード処理機１０に設けられたリーダライタ（Ｒ／Ｗ）に当該携帯端末を翳すことにより、ＩＣチップとＲ／Ｗとの非接触通信により当該携帯端末と関連付けられたプリペイド価値を取得することができる。
【０１０５】
なお、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０１０６】
以上のように、本発明に係る各台装置は、遊技店内に一部導入された封入式遊技機の設置場所を変更する場合の店員の労力軽減並びに遊技店内に封入式遊技機を導入する場合の台間装置に係るコスト低減に適している。
【符号の説明】
【０１０７】
１０    台間カード処理機
１０ａ１、１０ａ２  通信Ｉ／Ｆ部
１０ｂ  記憶部
１０ｂ１  プリペイド価値データ
１０ｂ２  持玉数データ
１０ｂ３  動作モード設定フラグ
１０ｂ４    設定レートデータ
１０ｃ    制御部
１０ｃ１    データ管理部
１０ｃ２    紙幣処理部
１０ｃ３    カード処理部
１０ｃ４    接続判定部
１０ｃ５    制御切替部
１０ｃ６    レート設定処理部
１０ｄ  玉投出機構
１１    状態表示部
１２    紙幣挿入口
１２ａ  紙幣搬送部
１３    表示操作部
１３ａ  払出ボタン
１４    カード挿入口
１４ａ  Ｒ／Ｗ部
１５    プリペイド価値表示部
１６    持玉数表示部
１７    玉貸しボタン
１８    カード返却ボタン
１９ａ  ノズル
１９ｂ  計数ユニット
１９ｃ  持玉貯留部
１９ｄ  貯玉ボタン
１９ｅ  計数部
２０    封入式遊技機
２１    ハンドル
２２    記憶部
２２ａ  持玉数データ
２２ｂ  遊技機情報
２３    制御部
２３ａ  遊技制御部
２３ｂ  持玉管理部
２３ｃ  遊技情報送信部
３０、１３０    島コントローラ
４０    カード管理装置
５０    会員管理装置
６０    精算機
７０    景品管理装置
８０    ホールコンピュータ
９０    通信回線
１２０    開放式遊技機
１２１    上皿
１２２    下皿
【図１】
0005969669.tif 000002
【図２】
0005969669.tif 000003
【図３】
0005969669.tif 000004
【図４】
0005969669.tif 000005
【図５】
0005969669.tif 000006
【図６】
0005969669.tif 000007
【図７】
0005969669.tif 000008
【図８】
0005969669.tif 000009